(57)【特許請求の範囲】
【請求項１】
合成樹脂発泡体を芯材にして、少なくとも外表面を繊維強化プラスチックよりなる表皮材により包被して構成され、平面矩形の底壁部と四周の側壁とよりなる本体部の前記底壁部の下面に、縦横一方の相対向辺に両端部を臨出させた複数の凸状脚部がフォークリフトのフォーク差し込み部となる間隔をおいて設けられてなる大型容器であって、
前記の相対向辺に沿う側壁外面の前記凸状脚部との対応位置に、前記凸状脚部から傾斜屈曲部を介して連続して上方に延びる凸部が設けられ、前記傾斜屈曲部の外表面が、前記凸状脚部の高さ寸法と同程度、もしくは前記高さ寸法よりやや大きい半径を持つ円弧状をなして前記凸状脚部の下面と前記凸部の外面とに同一面で連続する連続面をなし、少なくとも前記複数の各凸状脚部の下面及び該凸状脚部間の底壁部下面に、それぞれ前記表皮材の内側に沿って補強板材が装設され、容器の重心が、前記底壁部の下面付近もしくは該下面より下方側の位置に設定されてなることを特徴とする大型容器。
【請求項２】
前記底壁部の下面において、前記凸状脚部が長辺に沿う方向の中央部と両側部とに間隔をおいて設けられ、各凸状脚部間が前記長辺側に開口するフォークリフトのフォーク差し込み部として形成されてなる請求項１に記載の大型容器。
【発明の詳細な説明】
【技術分野】
【０００１】
本発明は、主として養殖まぐろ等の魚類の出荷前の冷却用に使用する大型容器に関するものである。
【背景技術】
【０００２】
例えば、養殖まぐろ等の養殖魚（畜養魚を含む）や漁船から陸揚げした魚の出荷に際しては、輸送中の鮮度保持や身を引きしめて生臭さを取る目的で、出荷前に氷水により冷却する所謂「冷やし込み」をすることが行われている。この冷やし込みは、比較的大型の容器を使用し、該容器内の氷水の中に養殖魚等を漬け込んで所定の時間保持することにより行われる。
【０００３】
この養殖魚等の冷やし込みに使用する容器は、容量が１５００〜２０００リットルあるいはそれ以上にもなるかなり大型の容器であるため、該容器の運搬や冷却作業の取り扱いは、フォークリフトやクレーン等の荷役機械や揚重機械を用いて行われる。そのため、通常一般には、収容部を構成する容器本体部の底壁部の下面に、フォークリフトのフォーク差し込み部を形成するように下方に突出する凸状の脚部が設けられたパレット一体形の容器、例えば、特許文献１に示されるようなボックスパレットと称する容器で、非発泡の合成樹脂材や金属材により形成された容器が用いられている。
【０００４】
ところで、合成樹脂材や金属材よりなる容器は、強度的には充分であるものの、断熱性に乏しいために、氷水の氷が溶けるのが早くなる上、かなり重く、フォークリフト等の機械を使用するにしても、その取り扱いは容易ではない。
【０００５】
特に、前記の冷やし込みが完了した養殖魚等を取り出した後、使用済みの水を排出するために、例えば容器四周の一方側からフォークリフトのフォークを容器底壁部の下に差し込んで該一方側を持ち上げることにより、該底壁部の他方側の脚部端を支点にして回転させるようにして横向きに起立させ、内部の水を一気に排出することが行われている。
【０００６】
この際、前記のような従来の容器は、前記脚部の下面と、容器側面から続く脚部側面とが直角に交差した状態で断面が角になる稜を形成しているために、前記のように容器の一方側を持ち上げて横向きに起立させる際、内部に水が収容されていて重心が高くなっていることもあって、容器がある起立角度を超えた時に、前方（容器開口側）に倒れるように回転して容器の側面全体が勢いよく接地し、その勢いで起立した容器がぐらついたり、あるいは裏返しになるように前方へ倒れたりすることがあり、危険性を伴う作業になる。
【０００７】
なお、パレット一体型の容器としては、合成樹脂発泡体を主材として、底部下のパレット部に補強外皮を装設して補強したものも提案されているが（特許文献２）、容器上部には前記の補強外皮がなく、強度上の問題があって、氷水を満たして養殖まぐろ等の冷やし込みに使用する容器としての使用には適さないものである。特に、前記の冷やし込みに使用した水の排出のために容器を横向きに起立させた場合には、前記と同様の問題が生じることになる。
【特許文献１】実開平６−３２３２８号公報
【特許文献２】特開２００３−７２７５４号公報
【発明の開示】
【発明が解決しようとする課題】
【０００８】
本発明は、上記の問題を解決するためになしたものであり、主として養殖まぐろ等の魚類の冷やし込みに使用する容器として、使用上問題のない強度を保有し、しかも軽量で取り扱い易く、また断熱性もあり、さらに容器を横向きに起立させて使用済の水を排出する際には、従来の容器に比して安定性よく安全に起立させることができるようにした大型容器を提供するものである。
【課題を解決するための手段】
【０００９】
上記の課題を解決する本発明は、合成樹脂発泡体を芯材にして、少なくとも外表面を繊維強化プラスチックよりなる表皮材により包被して構成され、平面矩形の底壁部と四周の側壁とよりなる本体部の前記底壁部の下面に、縦横一方の相対向辺に両端部を臨出させた複数の凸状脚部がフォークリフトのフォーク差し込み部となる間隔をおいて設けられてなる大型容器であって、前記の相対向辺に沿う側壁外面の前記凸状脚部との対応位置に、前記凸状脚部から傾斜屈曲部を介して連続して上方に延びる凸部が設けられ、前記傾斜屈曲部の外表面が、前記凸状脚部の高さ寸法と同程度、もしくは前記高さ寸法よりやや大きい半径を持つ円弧状をなして前記凸状脚部の下面と前記凸部の外面とに同一面で連続する連続面をなし、少なくとも前記複数の各凸状脚部の下面及び該凸状脚部間の底壁部下面に、それぞれ前記表皮材の内側に沿って補強板材が装設され、容器の重心が、前記底壁部の下面付近もしくは該下面より下方側の位置に設定されてなることを特徴とするものである。
【００１０】
この大型容器によれば、使用上充分な表面強度や保形強度を保有し、しかも、金属材や非発泡の合成樹脂材よりなる従来の容器に比して、軽量で取り扱い易く、かつ断熱性にも優れており、魚の出荷前の冷やし込みに好適に使用することができる。
【００１１】
そして、前記の冷やし込みに使用した後の使用済の水を排出するために、前記相対向辺の一方側をフォークリフト等により持ち上げたとき、前記凸状脚部と側壁の凸部との間の傾斜屈曲部を支点にして回転して横向きになるように起立するが、この際、前記傾斜屈曲部の外表面が前記のように円弧状をなして前記凸状脚部の下面および前記凸部外面と同一面で連続する連続面をなしているため、前記傾斜屈曲部の外表面の傾斜に沿って緩やかにかつスムーズに起立できることになり、下側になる容器側面が勢いよく接地したりすることがない。しかも、起立状態においては、前記側壁の凸部が接地することになって、略直立状態に安定性よく保持できる。そのため、容器の前方への倒れが防止され、安全に使用済の水の排出作業を行うことができる。
【００１２】
特に、前記傾斜屈曲部の外表面が、前記凸状脚部の高さ寸法と同程度、もしくは前記高さ寸法よりやや大きい半径を持つ円弧状をなして、前記凸状脚部の下面と前記凸部の外面とに同一面で連続していることにより、前記凸部の外面と凸状脚部の下面とが、角度のついた折れ曲がりや段差を殆どあるいは全く生じないで曲面で連続することになり、前記のようにスムーズに起立できるばかりか、起立する容器の水平面に対する起立角度が大きくなるのに従って、前記の支点となる接地点が前記傾斜屈曲部の円弧状の外表面に沿って前記凸部の側に徐々に変位しながら起立できる。その上、前記接地点が側壁の凸部の側に変位することで、その起立角度がかなり大きい角度の起立状態になるまで、内容物を含む全体の重心を前記接地点よりも容器背部（底部）側に位置させておけるので、容器前方（開口側）への倒れ込みやぐらつきを抑制でき、さらに安全に作業できる。
【００１３】
本発明の場合は、前記のように、少なくとも前記複数の各凸状脚部の下面及び該凸状脚部間の底壁部下面に、前記表皮材の内側に沿って補強板材が装設されているので、前記底壁部の下面や前記凸状脚部の下面を前記補強板材により外面を補強でき、凹凸のある地面に設置した場合の凸状脚部の損傷や、フォークリフトによる起立作業時の底壁部の損傷を防止できることになる。
【００１４】
その上、前記補強材板による重量の増加により、前記のように容器の重心を前記底壁部の下面付近もしくは該下面より下方側の位置に設定しておくことができるので、前記底壁部を水平面に対し略垂直の状態に起立させた場合にも、前記重心が前記底壁部下面もしくは該下面より凸状脚部側に位置することにより、容器の前方への倒れ込みを防止できる。
【００１５】
前記大型容器は、前記底壁部の下面において、前記凸状脚部が長辺に沿う方向の中央部と両側部とに間隔をおいて設けられ、各凸状脚部間が前記長辺側に開口するフォークリフトのフォーク差し込み部として形成されてなる。これにより、前記大型容器の移動や起立作業をフォークリフトにより行える。
【発明の効果】
【００１６】
上記したように本発明の大型容器によれば、従来の金属材や非発泡の合成樹脂材よりなる容器に比して、軽量で取り扱い容易でありながら、表面強度や保形強度が高くて断熱性もあり、養殖まぐろ等の魚類の出荷前の氷水による冷却（冷やし込み）に好適に使用できる。
【００１７】
しかも、前記の冷却に使用した場合において、使用済の水を排出するために、該容器を一側部から持ち上げて横向きに起立させる際、底壁部下面の凸状脚部と側壁の凸部との連続部分である傾斜屈曲部により緩やかにスムーズに起立させることができ、容器前方（開口側）への倒れ込みや、容器側面が勢いよく接地するのを防止でき、安全に作業できる。
【発明を実施するための最良の形態】
【００１８】
次に本発明の実施の形態を図面に示す実施例に基づいて説明する。
【００１９】
図１は本発明に係る大型容器の実施例を示す容器本体と蓋体とを分離した一部切欠斜視図である。図２は容器本体の平面図、図３は容器本体の底面図、図４は容器本体と蓋体の正面図、図５は容器本体と蓋体の側面図である。図６及び図７はそれぞれ図４のVI−VI線及びVII−VII線の断面図、図８は図５のVIII−VIII線の断面図であり、図９は凸状脚部と側壁の補強用凸部との連続部分の拡大断面図である。
【００２０】
図示する実施例は、養殖まぐろの出荷前の冷却（冷やし込み）に使用する容器の例を示している。図において、１は本発明に係る大型容器を構成する容器本体、２は前記容器本体１に被嵌自在な蓋体を示しており、いずれも後述するように、全体が合成樹脂発泡体を芯材Ａにして、その少なくとも外表面、好ましくは図のように全表面を繊維強化プラスチックの表皮体Ｂにより包被して構成されている。
【００２１】
前記容器本体１は、平面矩形の底壁部３と四周の側壁４，５，６，７とにより本体部が形成されて、上方に開口する容器形状をなしている。８は前記容器本体１の側壁上端の開口端部を示し、９は開口端部８の外周に設けられた凸縁部である。
【００２２】
前記容器本体１の底壁部３の下面には、該容器本体１の縦横一方の相対向辺、好ましくは図のように長辺側に両端部を臨出させた複数の凸状脚部１３が設けられている。図の場合は、容器本体１の長辺に沿う方向の中央部と両側部との３個所に所要の間隔をおいて、短辺と平行方向に延びる三つの凸状脚部１３が設けられ、各凸状脚部１３，１３間が前記両長辺側に開口するフォークリフトのフォーク差し込み部１２として形成されている。
【００２３】
また、前記各側壁４，５，６，７の外側面には、それぞれ、前記凸縁部９と同程度の突出高さで縦方向（高さ方向）に延びる補強用の凸部１４，１５，１６，１７が設けられている。このうち、相対向する長辺側の両側壁４，６における前記凸部１４，１６は、該容器本体１を横向きに起立させた場合の接地用を兼ねており、前記凸状脚部１３との対応位置に設けられ、該凸状脚部１３の端部から傾斜屈曲部１８を介して連続して該凸状脚部１３と同幅で上方の前記凸縁部９まで延びている。この傾斜屈曲部１８の外表面１８ａは前記凸状脚部１３の下面及び前記凸部１４，１６の外面との連続面をなしている。起立時の接地面となる前記凸部１４，１６の外面は、起立時の安定性を確保するために底壁部３に対し略直角をなしている。
【００２４】
図示する実施例において、前記各凸部１４，１６の下端部と前記各凸状脚部１３の端部との連続部分である前記傾斜屈曲部１８の外表面１８ａは、比較的大きい半径の円弧状をなして、前記凸状脚部１３の下面及び前記両凸部１４，１６の外面に略同一面で連続している。前記傾斜屈曲部１８の外表面１８ａは、必ずしも図のような単一の半径による円弧状の曲面をなすものには限らず、例えば、前記凸状脚部１３及び前記両凸部１４，１６への連続側ほど半径が漸次大きくなる場合、あるいは小さくなる場合もある。
【００２５】
実施上は、前記外表面１８ａを、前記凸状脚部１３の高さ寸法と同程度、もしくは同高さ寸法よりやや大きい半径を持つ円弧状にして、前記凸状脚部１３の下面及び前記両凸部１４，１６の外面と、角度のついた折れ曲がりや段差を殆どあるいは全く生じさせずに同一面で連続させるのが好ましい。前記外表面１８ａが前記凸状脚部１３の高さ寸法より大きい半径の円弧状をなす場合は、前記凸状脚部１３の下面及び前記両凸部１４，１６の外面への連続部分で曲率を漸次小さくするように変化させて、折れ曲がりを生じさせずに連続させるのがよい。
【００２６】
前記容器本体１は、少なくとも前記複数の各凸状脚部１３の下面及び該凸状脚部１３，１３間の底壁部３の下面に、それぞれ前記表皮材Ｂの内側に沿って、ベニヤ板等の木材製の板材あるい鉄板等の金属板よりなる補強板材２０が装設されて補強されている。これにより、各凸状脚部１３の下面及び該凸状脚部１３，１３間の底壁部３の下面の損傷を防止できることになる。図の場合は、横向きの起立時に接地面となる前記両側壁４，６の凸部１４，１６の外面にも、前記表皮材Ｂの内側に沿って前記同様の補強板材２０が装設されて補強されている。
【００２７】
前記の補強板材２０の厚みや配置は、重量増や補強の効果等を考慮して適宜設定できるが、例えばベニヤ板の場合は１０ｍｍ前後のものが使用される。また、前記底壁部３の下面における四隅部を含む、両側の凸状脚部１３よりも短辺側の部分にも、前記同様に補強板材を装設することができる。
【００２８】
前記容器本体１は、その重心Ｇが前記底壁部３の下面もしくは該下面よりやや下方側の位置に設定するのが、容器一方側を持ち上げて起立させた場合の安定性の点からは好ましい。前記のように補強板材２０を装設した場合、前記底壁部３や前記凸状脚部１３側の重量を増加させることができ、前記重心Ｇを前記底壁部３の下面もしくは該下面より下方側に位置させ易くなる。もちろん、他の手段や形態により、前記重心Ｇの位置を前記のように設定することもできる。
【００２９】
図中の符号２１は前記底壁部３の四隅部の少なくとも１個所（図の場合は４個所）に設けた排水口であり、通常の使用時は栓をしておき、排水等の必要時にのみ栓を開けるように設けられる。符号２２は前記底壁部３の下面における対角位置の二つの隅部近傍と、短辺側の中央部とに下方向きに突設して設けられた環状の係止部材であり、チェーンブロックやクレーン等のフックを係止できるように設けられている。
【００３０】
また、前記蓋体２は、その周縁部２ａを前記開口端部８上に載接した状態で下面内方部２ｂを前記容器本体１の開口部に嵌合できるように形成されている。上面には短辺側の端部近傍に吊り下げ用の係止パイプ２３が設けられている。
【００３１】
なお、本発明が対象とする大型容器は、容量が１５００〜２０００リットルあるいはそれ以上にもなる比較的大容量の容器である。その一例を示すと、前記容器本体１の外寸が縦１７００ｍｍ、横２７００ｍｍ、凸状脚部を含む高さ５００ｍｍの容器であり、前記凸状脚部１３の高さは約１００ｍｍである。このような寸法の容器本体１の前記底壁部３の芯材Ａの厚みは７０ｍｍ、各側壁４，５，６，７の芯材Ａの厚みは約５０ｍｍである。また、前記蓋体２の芯材Ａの厚みは約４０ｍｍである。もちろん、前記容器のサイズや厚み等は使用態様に応じて適宜設定できる。
【００３２】
前記の容器本体１及び蓋体２の芯材Ａに使用する合成樹脂発泡体としては、ポリプロピレン系樹脂やポリエチレン系樹脂及びオレフィンを主体とする共重合体等のポリオレフィン系樹脂、ポリスチレン系樹脂、ポリエステル系樹脂、ポリ塩化ビニル系樹脂、並びにこれらの混合樹脂等、各種の熱可塑性樹脂の発泡体、特には発泡ビーズ成型の発泡体が好適に用いられる。
【００３３】
中でも、ポリオレフィン系樹脂の粒子にスチレン系単量体を含浸重合して得られた、スチレン改質ポリオレフィン系樹脂の発泡ビーズは、同じ発泡倍率のポリプロピレン樹脂の発泡ビーズに比べて、強度があって割れ難く、また全体的な寸法収縮率も小さく、精度よく成形できること、さらにはポリスチレン樹脂の発泡ビーズを使用する場合に比べて、こすれによる粉が発生し難いことから、特に好適に用いられる。特にはスチレン改質ポリエチレン系樹脂の発泡ビーズが好ましく用いられる。スチレン成分とエチレン成分の重量比は、７：３〜４：６の範囲が好ましい。
【００３４】
前記の合成樹脂発泡体は、耐圧強度や断熱性あるいは軽量性等の点から、その発泡倍率が１５〜４０倍の範囲のものが好適に用いられるが、もちろん前記範囲外のものを使用することもできる。
【００３５】
前記の芯材Ａに使用する合成樹脂発泡体は、通常、上記した容器本体１や蓋体２の大きさや形状に応じて、例えば、前記容器本体１については、底壁部３、四周の各側壁４，５，６，７、凸状脚部１３、凸部１４，１５，１６，１７、及び側壁同士が交差連続するコーナー部、さらには前記凸状脚部１３と前記凸部１４，１６との間の傾斜屈曲部１８等の必要部位毎に、それぞれの形状に対応する一つもしくは複数のパネル状やブロック状の必要なピースに分割して形成しておき、これらの各ピースを接着手段等より接合して容器本体１の形状に組み立て構成する。前記各ピースは、合成樹脂発泡体の大きなブロックからパネル状にスライスしたり、切り出して形成することも、また型成形により形成することもできる。前記蓋体２についても、芯材Ａとなる合成樹脂発泡体については、複数のパネル状やブロック状に形成したピースを接合して構成する。
【００３６】
なお、前記補強板材２０を装設する場合は、前記芯材Ａの各ピースによる組み立て後に、該芯材Ａの所定の個所の表面に接着手段等により貼り付けるか、あるいは前記芯材Ａの組み立てまでに、それぞれの個所に対応するピースの表面に貼り付けておく。
【００３７】
また、前記の芯材Ａを包被する繊維強化プラスチックよりなる表皮材Ｂは、例えばフェノール樹脂やエポキシ樹脂あるいはポリウレタン樹脂等の熱硬化性樹脂を、ガラス繊維や炭素繊維等の繊維により強化したガラス繊維強化プラスチックや炭素繊維強化プラスチック等よりなるもので、防水性があってかなり強度の高いものである。この繊維強化プラスチックは、一般の繊維強化プラスチックの積層形成と同様の方法により、前記の合成樹脂発泡体の芯材Ａの各ピースを所定の容器形状に組み立てた後、その芯材Ａの少なくとも容器外表面、前記補強板材２０を装設する場合には該補強板材２０を含めた外表面を包被するように積層される。
【００３８】
すなわち、例えば前記のように組み立てた芯材Ａの容器内外の全表面に、前記ガラス繊維等よりなる厚み０．５〜１．０ｍｍ程度の薄い不織布を貼り付け、その上から、前記樹脂素材、例えばフェノール樹脂をすり込むように塗装し乾燥することを、複数回繰り返して、芯材Ａの全表面を包皮するように複数層（例えば３層）を積層し、表皮材Ｂを形成する。これにより、複数のピースからなる合成樹脂発泡体の芯材Ａを包被して一体化できる。この繊維強化プラスチックよりなる表皮材Ｂの厚みは、強度や保形性を考慮して適宜設定できるが、通常は３〜７ｍｍ、好ましく５ｍｍ前後である。
【００３９】
前記底壁部３の排水口２１については、前記表皮材Ｂの硬化後に、所定の個所に貫通孔をあけて、合成樹脂製や金属製の排水口部材を液密に取着する。また、前記係止部材２２についても、前記表皮材Ｂの硬化後に固定する。
【００４０】
また、蓋体２についても、上記の容器本体１と同様に、合成樹脂発泡体の芯材Ａの表面に繊維強化プラスチックの表皮材Ｂを積層することができる。
【００４１】
上記の構成よりなる本発明の大型容器は、例えば、養殖まぐろ等の各種の養殖魚あるいは陸揚げされた魚の出荷前の冷やし込みに使用する。すなわち、容器本体１内に氷水を満たし、この氷水の中に養殖まぐろ等の魚を漬け込んで所定の時間保持することにより冷やし込みを行う。
【００４２】
この使用において、本発明の容器は、合成樹脂発泡体を芯材Ａにして、その少なくとも外表面を強度の高い繊維強化プラスチックの表皮材Ｂで包被した構成よりなるため、かなり大容量の大型容器ではあっても、金属材や非発泡の合成樹脂材よりなる従来の容器に比して軽量で取り扱い易く、フォークリフト等を使用した移動等も容易である。しかも、前記表皮材Ｂにより、充分な表面強度や保形強度を保有し、また、断熱性にも優れていることもあって、前記の冷やし込みに好適に使用できる。
【００４３】
そして、前記の冷やし込みに使用した後の使用済の水を排出するために、図１０のように、凸状脚部１３に連続する凸部１４，１６が存する長辺側の両側壁４，６の一方、例えば側壁４を下にするように容器本体１の他方の側壁６の側をフォークリフト等により持ち上げたとき、前記凸状脚部１３と前記側壁４の凸部１４との連続部分である傾斜屈曲部１８の外表面１８ａにおける接地点Ｐを支点にして容器本体１が横向きになるように回転して起立するが、この際、前記外表面１８ａが円弧状をなして前記凸状脚部１３の下面及び前記凸部１４の外面と同一面で連続する連続面をなしているため、容器本体１は前記外表面１８ａの傾斜に沿って緩やかにかつスムーズに起立でき、かつ前記側壁４の凸部１４を接地面にして安定性よく起立状態に保持できる。
【００４４】
特に、前記傾斜屈曲部１８の外表面１８ａが、図のような円弧状をなしていることで、前記傾斜屈曲部１８の外表面１８ａにおける接地点Ｐを支点に起立する前記容器本体１の水平面に対する起立角度αが大きくなるのに従って、前記接地点Ｐが円弧状の外表面１８ａに沿って前記凸部１４の側に徐々に変位しながら（図１０の鎖線参照）、比較的スムーズに起立できる。その上、前記の起立角度αがかなり大きい角度の起立状態になるまで、内容物である水を含む全体の重心が前記接地点Ｐよりも底壁部３の側に保持されることになって、容器本体１の側壁４の外面が勢いよく接地したり、ぐらついたり、前方へ倒れたりすることがない。それゆえ、安全に使用済の水の排出作業を行うことができる。
【００４５】
さらに、図示するように、凸状脚部１３の下面及び該凸状脚部１３，１３間の底壁部３の下面の表皮材Ｂの内側に沿って補強板材２０が装設されて、容器の重心Ｇが前記底壁部３の下面付近もしくは該下面より下方側の位置にあることにより、容器本体１が略直立状態になっても前記重心Ｇが円弧状の外表面１８ａに沿って凸部１４の側に変位する前記接地点Ｐよりも底壁部３下面もしくは該下面より凸状脚部１３側に位置することになって、容器の前方への倒れ込みを確実に防止でき、さらに安全に作業できる。また、前記補強板材２０により、フォークリフトによる前記起立作業時に、フォークリフトのフォークＦが当接する底壁部３の下面を保護でき、損傷を防止できる。
【００４６】
なお、本発明の大型容器としては、容器本体１に被嵌自在な蓋体２を組み合わせた容器のみでなく、蓋体を省略した容器本体１のみよりなる容器においても、上記と同様に実施できることは言うまでもない。
【産業上の利用可能性】
【００４７】
本発明の大型容器は、養殖まぐろ等の養殖魚（畜養魚を含む）や漁船から陸揚げした魚の出荷前の冷却（冷やし込み）に好適に使用でき、さらに出荷される魚類の一時的な保存用や水槽の代用にも好適に使用できる。
【図面の簡単な説明】
【００４８】
【図１】本発明に係る大型容器の実施例を示す容器本体と蓋体とを分離した一部切欠斜視図である。
【図２】容器本体の平面図である。
【図３】容器本体の底面図である。
【図４】容器本体と蓋体の正面図である。
【図５】容器本体と蓋体の側面図である。
【図６】図４のVI−VI線の断面図である。
【図７】図４のVII−VII線の断面図
【図８】図５のVIII−VIII線の断面図である。
【図９】凸状脚部と側壁の補強用凸部との連続部分の拡大断面図である。
【図１０】起立状態の説明図である。
【符号の説明】
【００４９】
１…容器本体、２…蓋体、２ａ…周縁部、２ｂ…下面内方部、３…底壁部、４，５，６，７…四周の側壁、８…開口端部、９…凸縁部、１２…フォーク差し込み部、１３…凸状脚部、１４，１５，１６，１７…補強用の凸部、１８…傾斜屈曲部、１８ａ…外表面、２０…補強板材、２１…排水口、２２…係止部材、Ａ…芯材、Ｂ…表皮材、Ｇ…重心、Ｐ…接地点、α…起立角度。
【図１】
0004802047.tif 000002
【図２】
0004802047.tif 000003
【図３】
0004802047.tif 000004
【図４】
0004802047.tif 000005
【図５】
0004802047.tif 000006
【図６】
0004802047.tif 000007
【図７】
0004802047.tif 000008
【図８】
0004802047.tif 000009
【図９】
0004802047.tif 000010
【図１０】
0004802047.tif 000011